(57)【要約】【課題】木造建築の床または屋根にＡＬＣパネルを敷設するときに、柱、間柱、筋かい等を避けるためにパネルの一部を切り欠いても、そのパネルの曲げ強度を減少させないＡＬＣパネルを提供する。【解決手段】ＡＬＣパネルの長辺小口面から５０ｍｍ〜１００ｍｍまでの位置、および短辺小口面から２０ｍｍ〜３０ｍｍまでの位置を補強筋が埋設されていない無筋部分とし、その内側に補強筋を埋設したＡＬＣパネル。【選択図】図１
2004019330.tif 000002
【特許請求の範囲】
【請求項１】
木造建築の床または屋根用のＡＬＣパネルにおいて、
該ＡＬＣパネルの長辺小口面から５０ｍｍ〜１００ｍｍまでの位置、および短辺小口面から２０ｍｍ〜３０ｍｍまでの位置を補強筋が埋設されていない無筋部分とし、その内側に補強筋を埋設したことを特徴とするＡＬＣパネル。
【請求項２】
前記ＡＬＣパネルの厚みは１００ｍｍ以下である請求項１記載のＡＬＣパネル。
【請求項３】
前記ＡＬＣパネルの長辺小口面から内側へ６０ｍｍ〜９０ｍｍまでの位置の内側に補強筋が埋設されている請求項１または２記載のＡＬＣパネル。
【請求項４】
前記補強筋は、ＡＬＣパネルの長さ方向に埋設される主筋と幅方向に埋設される副筋とを格子状に溶接固定した格子状補強鉄筋を２枚連結させたカゴ状補強鉄筋である請求項１、２または３記載のＡＬＣパネル。
【発明の詳細な説明】
【０００１】
【発明の属する技術分野】
本発明は、木造建築の床または屋根に使用されるＡＬＣパネルに関するものである。
【０００２】
【従来の技術】
一般に、木造建築の床または屋根にＡＬＣパネルを敷設するときは、図５および図６に示すように、隣接するＡＬＣパネル１０の小口面同士を当接させ、パネルの少なくとも短辺小口両端部を梁５に架けた状態で敷き詰める。
また、柱３、間柱８、筋かい９とパネル１０とが干渉するときは、柱等を避けるために、パネルの干渉する部位に切り欠き２を設けてから施工している。
例えば、図５に示すように、木造建築に通常使用される柱の幅Ｔ＝１２０ｍｍ角の柱３の周囲においては、その柱３の幅Ｔの１／２とクリアランスＣ（柱３とパネル１０との隙間）とを加えた部位をＡＬＣパネル１０から切り欠いている。
このとき、この切り欠き２の部位にパネルの長さ方向に埋設された補強筋４（主筋４ａ）または幅方向に埋設された（副筋４ｂ）の一部が切断されて、パネルに切り欠き２が設けられることになる。
【０００３】
また、工場生産されるＡＬＣパネル１０の長さ寸法は規定されている一方で、木造建築は梁５などの下地材寸法あるいは施工の誤差があるため、パネル１０の短辺小口両端部を架ける梁５の間隔Ｚ（図６参照）にバラツキが生じ易い。
このため、床パネル１０を敷設する実際の施工現場では、図７に示すように、隣接するパネル同士の短辺小口の突き合わせ位置７が梁５の中心からずれて、どちらか一方のパネルの端部の梁５への架かり代が小さくなってしまうことがある。
【０００４】
このとき、梁５の中心からずれている長いパネル側の端部を長さ調整のために短辺小口面と平行に切除すると、端部に埋設されていた副筋４ｂも同時に除去されてしまう。すると、副筋４ｂが埋設されていないパネル端部が梁５に架けられるという危険な状態が発生してしまう。このため、長さ調整のためにパネル小口面端部を切断することはできない。
そこで、通常、この問題を解決するために、図７に示すように、架かり代の小さいパネル下部に、梁と平行な受け材６を追加して設置することによりパネル１０を支えている。
【０００５】
【発明が解決しようとする課題】
通常、柱３等との干渉を避けるために、埋設された補強筋４の主筋４ａまたは副筋４ｂの一部が切断されて切り欠き２が形成されている。このため、パネル１０の長さ方向に埋設される主筋４ａの場合、その一部が切断されてもパネル全体の曲げ強度が低下しないように、余分の主筋４ａを予め埋設させておくことになる。
しかし、この方法は切断される主筋４ａの位置及び本数を予測することが困難であるとともに、製造コストが増加するという問題点があった。
さらに、切断されて露出した主筋４ａの断面に錆が発生する問題もあった。
【０００６】
また、短辺小口端部の梁５への架かり代の小さいパネル１０が発生して、梁５の一カ所でも受け材６を追加すると、その調整作業が次々と隣接する梁５へと順送りされていく。そして、床全体の梁部において受け材６の設定が必要となり、施工効率を著しく低下させていた。
そこで、本発明の目的は上記問題点を解決して　、木造建築の床施工においてパネルに切り欠きを設けても、余分な主筋をパネルに予め埋設させておく必要がなく、かつ、施工効率も低下させないＡＬＣパネルを提供することにある。
【０００７】
【課題を解決するための手段】
木造建築の床または屋根用のＡＬＣパネルにおいて、
そのＡＬＣパネルの長辺小口面から５０ｍｍ〜１００ｍｍまでの位置、および短辺小口面から２０ｍｍ〜３０ｍｍまでの位置を補強筋が埋設されていない無筋部分とし、その内側に補強筋を埋設したＡＬＣパネルを採用した。
【０００８】
【発明の実施の形態】
以下、本発明の実施形態を図１〜４に基づいて説明する。なお、符号は従来例と同一のものは同一符号を付した。
図１は本発明の実施形態を示すＡＬＣパネル１の斜視図、図２はそのパネルの平面図、図３はそのパネルの断面図、図４は切り欠きが設けられたパネルの平面図、をそれぞれ示す。
本発明は、木造建築の床または屋根用のＡＬＣパネルの周縁部を無筋部分としたパネルである。
すなわち、図１、図２及び図３に示すように、本発明のパネル１は、その長辺小口面から５０ｍｍ〜１００ｍｍまでの位置Ｙ、および短辺小口面から２０ｍｍ〜３０ｍｍまでの位置Ｘは補強筋４が埋設されていない無筋部分であり、その内側に補強筋４が埋設されているＡＬＣパネルである。
【０００９】
これにより図４に示すように、通常の木造建築の柱３、間柱８、筋かい９とパネル１とが干渉する部位に切り欠き２（２ａ、２ｂ、２ｃ、２ｄ）を設けても、埋設された補強筋４（主筋４ａ及び副筋４ｂ）が切断されることがなくなる。
また、補強筋４のうち特に副筋４ｂがパネル１の短辺小口面から２０ｍｍ〜３０ｍｍまでの位置Ｘの内側に埋設されているため、隣接パネル１との突き合わせ位置７が梁５の中心からずれても、パネル１の短辺小口面から内側に１５ｍｍ以下を切除して長さ調整をすることにより突き合わせ位置７を調整することが可能となる。これにより、従来例の図７に示す受け材６を梁に追加して設置する必要がなくなる。
【００１０】
また、ＡＬＣパネル１は、パネルの厚さが１００ｍｍ以下になると、要求されるパネル曲げ強度が小さくなるため埋設される補強筋４の数も減少する。
このように、１本の補強筋４の切断がパネル曲げ強度へ与える影響が大きくなる厚さ１００ｍｍ以下のパネルにとっては、本発明の効果が一層発揮されるようになり、より好ましい。
そして、ＡＬＣパネル１の厚さが８０ｍｍ以下であって、主筋４ａと副筋４ｂとが格子状に溶接固定された格子状補強鉄筋が１枚のみ埋設されたパネルにおいては、同様の理由により、さらに本発明の効果が発揮されるようになり望ましい。
また、切り欠きを設けるときに鉄筋に比べて長さ方向の切断が非常に困難なラス網またはメッシュ筋が補強筋４として埋設されている厚さ８０ｍｍ以下のパネルであると、切り欠き加工の作業性が著しく向上する。
【００１１】
また、ＡＬＣパネル１の長辺小口面から内側へ６０ｍｍ〜９０ｍｍまでの位置の内側に補強鉄筋４が埋設されていると、通常の柱３の一辺が１０５ｍｍ〜１３５ｍｍである木造建築に対して、柱の幅Ｔの１／２＝５２〜６８ｍｍとクリアランスＣ（１０ｍｍ〜２０ｍｍ）とを加算した寸法がパネル１の無筋部分と一致するようになる。
これにより、柱３等を避けるために切り欠き２の加工をしても、切り欠き加工後のパネル外周縁部に沿って補強筋４が配設されることとなり、また、補強筋４（副筋４ｂ）が十分な架かり代で梁５に架かるようになりパネル面へ垂直方向に働く積載荷重等への信頼性が向上する。
【００１２】
主筋４ａと副筋４ｂとを格子状に溶接固定した格子状補強鉄筋４が２枚連結されたカゴ状補強鉄筋４が埋設されているＡＬＣパネルであると、切り欠き加工のときに、複数本の鉄筋を切断する必要がなくなるため切断用の刃の寿命が延びるとともに作業性も著しく向上する。
なお、床用ＡＬＣパネルの施工で本発明を説明をしたが、屋根用パネルの施工においても同様の効果が得られる。
【００１３】
【実施例】
図１、図２及び図３に示すように、ＡＬＣパネル１（長さ１８２０ｍｍ、幅６０６ｍｍ、厚さ８０ｍｍ）の長辺小口面から８５ｍｍまでの位置Ｙ、および短辺小口面から２５ｍｍまでの位置Ｘを補強鉄筋４が埋設されていない無筋部分として、その内側に補強鉄筋４が埋設されたパネルを製造した。
このとき補強鉄筋４は、直径５ｍｍの主筋４ａ（４本）と副筋４ｂ（７本）とを格子状に溶接固定した格子状補強鉄筋を２枚連結させたカゴ状補強鉄筋とした。
【００１４】
主な部材の断面寸法が、次に示すような一般的木造建築に床パネル１を敷設した。
柱３　　　：１２０ｍｍ×１２０ｍｍ　　間柱８　：１０５ｍｍ×３５ｍｍ
筋かい９　：１０５ｍｍ×４５ｍｍ
梁５　　　：幅１２０ｍｍ×せい２１０ｍｍ
梁の間隔Ｚ：約９１０ｍｍ
そして、図４に示すように、柱３、間柱８および筋かい９を避けるためにＡＬＣパネル１の一部に切り欠き２ａ、２ｂ、２ｃ、２ｄを設けた。
ＡＬＣパネル１と柱３、間柱８、筋かい９とのクリアランスが２０ｍｍになるように、それぞれ次に示す寸法（パネル幅方向への寸法×パネル長さ方向への寸法）で、ＡＬＣパネル１を切り欠いた。
切り欠き２ａ（柱３）　　　　　　　：　８０ｍｍ×８０ｍｍ
切り欠き２ｂ（柱３）　　　　　　　　　　　　：　８０ｍｍ×１６０ｍｍ
切り欠き２ｃ（間柱８）　　　　　　　　　　：　８０ｍｍ×７５ｍｍ
切り欠き２ｄ（柱３＋筋かい９）　：　８０ｍｍ×２２０ｍｍ
【００１５】
また、実際の梁間隔は、部材寸法及び施工誤差により９０５〜９１５ｍｍとバラツキがあったため、隣接するＡＬＣパネル１の短辺小口での突き合わせ位置７が、梁３の中心からずれる不具合を生じていた。
そこで、ＡＬＣパネル１の短辺小口端部を１５ｍｍ以下（両端部をあわせて３０ｍｍ以下）切断することにより長さ調整をして、突き合わせ位置７を梁３の中心に一致た。これにより、すべてのＡＬＣパネル１の端部において、梁への十分に架かり代を確保してＡＬＣパネル敷設をすることができた。
【００１６】
これらの結果、ＡＬＣパネル１内部の補強筋４は１本も切断されることがなく、かつ、梁５に受け材６を追加することもなく、木造建築の柱３、間柱９、筋かい９を避けながらＡＬＣパネル１を床に敷設することができた。
【００１７】
【発明の効果】
本発明によれば、木造建築の床または屋根にＡＬＣパネルを敷設するときに、柱、間柱、筋かい等を避けるためにパネルの一部を切り欠いても、そのパネルの曲げ強度を減少させない。
さらに、切り欠きの加工時に埋設された補強筋を切断する必要がないため、切断工具の寿命を延ばすとともに作業性を向上させる。
また、施工時における補強筋の切断を予測して、余分な補強筋を予め埋設しておく必要もなくなる。
【図面の簡単な説明】
【図１】本発明のパネルの一実施形態を示す斜視図。
【図２】本発明のパネルの一実施形態を示す平面図。
【図３】本発明のパネルの一実施形態を示す断面図。
【図４】本発明のパネルが切り欠かれた状態を示す一実施形態の平面図。
【図５】従来例における床パネルが敷設された状態を示す一部拡大平面図。
【図６】従来例における床パネルが敷設された状態を示す平面図。
【図７】従来例における床パネル端部が梁に支持された状態を示す垂直断面図。
【符号の説明】
１　ＡＬＣパネル
２　　切り欠き
３　　柱
４　補強筋（補強鉄筋）
４ａ　　主筋
４ｂ　　副筋
５　　梁
６　　受け材
７　突き合わせ位置
８　　間柱
９　　筋かい
１０　ＡＬＣパネル
Ｔ　　柱の幅
Ｃ　　クリアランス
Ｘ　　　短辺小口面から２０ｍｍ〜３０ｍｍまでの位置
Ｙ　長辺小口面から５０ｍｍ〜１００ｍｍまでの位置
Ｚ　　梁の間隔
【図１】
2004019330.tif 000003
【図２】
2004019330.tif 000004
【図３】
2004019330.tif 000005
【図４】
2004019330.tif 000006
【図５】
2004019330.tif 000007
【図６】
2004019330.tif 000008
【図７】
2004019330.tif 000009